(57)【特許請求の範囲】
【請求項１】
中継局を含む無線通信システムにおける端末によりＨＡＲＱ（Ｈｙｂｒｉｄ  Ａｕｔｏｍａｔｉｃ  Ｒｅｐｅａｔ  ｒｅｑｕｅｓｔ）を実行する方法であって、前記方法は、
第１のフレーム内のダウンリンク（ＤＬ；Ｄｏｗｎｌｉｎｋ）アクセスゾーン（ａｃｃｅｓｓ  ｚｏｎｅ）を介してアップリンク（ＵＬ；Ｕｐｌｉｎｋ）割当（ａｓｓｉｇｎｍｅｎｔ）Ａ−ＭＡＰ  ＩＥ（Ｉｎｆｏｒｍａｔｉｏｎ  Ｅｌｅｍｅｎｔ）を前記中継局から受信することと、
前記第１のフレーム内のＵＬアクセスゾーンを介して前記ＵＬ割当Ａ−ＭＡＰ  ＩＥに対応するＵＬデータバースト（ｄａｔａ  ｂｕｒｓｔ）を送信することと、
前記第１のフレームと隣接する第２のフレーム内のＤＬアクセスゾーンを介して前記ＵＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を受信することと
を含み、
前記第１のフレーム及び前記第２のフレームは、各々が周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、
前記ＵＬフレームは、複数のＵＬサブフレームを含むＵＬリレイゾーン（ｒｅｌａｙ  ｚｏｎｅ）と複数のＵＬサブフレームを含むＵＬアクセスゾーンを含み、
前記ＵＬフレーム内で前記ＵＬリレイゾーンが前記ＵＬアクセスゾーンの前方に位置する、方法。
【請求項２】
前記ＦＤＤ  ＵＬフレームに含まれるサブフレームの個数が８個である場合、前記ＵＬアクセスゾーンに含まれる複数のＵＬサブフレームの個数は、４個である、請求項１に記載の方法。
【請求項３】
前記ＤＬフレームは、複数のＤＬサブフレームを含むＤＬリレイゾーンと複数のＤＬサブフレームを含むＤＬアクセスゾーンを含み、前記ＤＬフレーム内で前記ＤＬアクセスゾーンが前記ＤＬリレイゾーンの前方に位置する、請求項１に記載の方法。
【請求項４】
前記ＦＤＤ  ＤＬフレームに含まれるサブフレームの個数が８個である場合、前記ＤＬアクセスゾーンに含まれる複数のＤＬサブフレームの個数は、４個である、請求項３に記載の方法。
【請求項５】
前記ＵＬリレイゾーンに前記中継局の受信モードから送信モードへの切替ギャップ（ｔｒａｎｓｉｔｉｏｎ  ｇａｐ）であるＲ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入される、請求項１に記載の方法。
【請求項６】
前記ＵＬリレイゾーンに前記中継局の送信モードから受信モードへの切替ギャップであるＲ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入される、請求項１に記載の方法。
【請求項７】
中継システムを含む無線通信システムにおける端末であって、前記端末は、
無線信号を送信または受信するＲＦ（Ｒａｄｉｏ  Ｆｒｅｑｕｅｎｃｙ）部と、
前記ＲＦ部と連結されるプロセッサと
を含み、
前記端末は、
第１のフレーム内のダウンリンク（ＤＬ；Ｄｏｗｎｌｉｎｋ）アクセスゾーン（ａｃｃｅｓｓ  ｚｏｎｅ）を介してアップリンク（ＵＬ；Ｕｐｌｉｎｋ）割当（ａｓｓｉｇｎｍｅｎｔ）Ａ−ＭＡＰ  ＩＥ（Ｉｎｆｏｒｍａｔｉｏｎ  Ｅｌｅｍｅｎｔ）を中継局から受信することと、
前記第１のフレーム内のＵＬアクセスゾーンを介して前記ＵＬ割当Ａ−ＭＡＰ  ＩＥに対応するＵＬデータバースト（ｄａｔａ  ｂｕｒｓｔ）を送信することと、
前記第１のフレームと隣接する第２のフレーム内のＤＬアクセスゾーンを介して前記ＵＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を前記中継局から受信することと
を実行するように構成され、
前記第１のフレーム及び前記第２のフレームは、各々が周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、
前記ＵＬフレームは、複数のＵＬサブフレームを含むＵＬリレイゾーン（ｒｅｌａｙ  ｚｏｎｅ）と複数のＵＬサブフレームを含むＵＬアクセスゾーンを含み、
前記ＵＬフレーム内で前記ＵＬリレイゾーンが前記ＵＬアクセスゾーンの前方に位置する、端末。
【請求項８】
中継局を含む無線通信システムにおける端末によりＨＡＲＱ（Ｈｙｂｒｉｄ  Ａｕｔｏｍａｔｉｃ  Ｒｅｐｅａｔ  ｒｅｑｕｅｓｔ）を実行する方法であって、前記方法は、
第１のフレーム内のダウンリンク（ＤＬ；Ｄｏｗｎｌｉｎｋ）アクセスゾーン（ａｃｃｅｓｓ  ｚｏｎｅ）を介してＤＬ割当（ａｓｓｉｇｎｍｅｎｔ）Ａ−ＭＡＰ  ＩＥ（Ｉｎｆｏｒｍａｔｉｏｎ  Ｅｌｅｍｅｎｔ）及び前記ＤＬ割当Ａ−ＭＡＰ  ＩＥに対応するＤＬデータバースト（ｄａｔａ  ｂｕｒｓｔ）を前記中継局から受信することと、
前記第１のフレーム内のアップリンク（ＵＬ；Ｕｐｌｉｎｋ）アクセスゾーンを介して前記ＤＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を送信することと
を含み、
前記第１のフレームは、周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、
前記ＵＬフレームは、複数のＵＬサブフレームを含むＵＬリレイゾーン（ｒｅｌａｙ  ｚｏｎｅ）と複数のＵＬサブフレームを含むＵＬアクセスゾーンを含み、
前記ＵＬフレーム内で前記ＵＬリレイゾーンが前記ＵＬアクセスゾーンの前方に位置する、方法。
【請求項９】
前記ＦＤＤ  ＵＬフレームに含まれるサブフレームの個数が８個である場合、前記ＵＬアクセスゾーンに含まれる複数のＵＬサブフレームの個数は、４個である、請求項８に記載の方法。
【請求項１０】
前記ＤＬフレームは、複数のＤＬサブフレームを含むＤＬリレイゾーンと複数のＤＬサブフレームを含むＤＬアクセスゾーンを含み、前記ＤＬフレーム内で前記ＤＬアクセスゾーンが前記ＤＬリレイゾーンの前方に位置する、請求項８に記載の方法。
【請求項１１】
前記ＦＤＤ  ＤＬフレームに含まれるサブフレームの個数が８個である場合、前記ＤＬアクセスゾーンに含まれる複数のＤＬサブフレームの個数は、４個である、請求項１０に記載の方法。
【請求項１２】
前記ＵＬリレイゾーンに前記中継局の受信モードから送信モードへの切替ギャップ（ｔｒａｎｓｉｔｉｏｎ  ｇａｐ）であるＲ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入される、請求項８に記載の方法。
【請求項１３】
前記ＵＬリレイゾーンに前記中継局の送信モードから受信モードへの切替ギャップであるＲ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入される、請求項８に記載の方法。
【発明の詳細な説明】
【技術分野】
【０００１】
本発明は、無線通信に関し、より詳しくは、中継局を含む無線通信システムにおけるフレーム構成方法及び装置に関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅ規格は、２００７年ＩＴＵ（Ｉｎｔｅｒｎａｔｉｏｎａｌ  Ｔｅｌｅｃｏｍｍｕｎｉｃａｔｉｏｎ  Ｕｎｉｏｎ）傘下のＩＴＵ−Ｒ（ＩＴＵ−Ｒａｄｉｏ  ｃｏｍｍｕｎｉｃａｔｉｏｎ  Ｓｅｃｔｏｒ）でＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００のための６番目の規格に‘ＷＭＡＮ−ＯＦＤＭＡ  ＴＤＤ’という名称で採択されたことがある。ＩＴＵ−Ｒは、ＩＭＴ−２０００以後の次世代４Ｇ移動通信規格にＩＭＴ−Ａｄｖａｎｃｅｄシステムを準備している。ＩＥＥＥ８０２．１６ＷＧ（Ｗｏｒｋｉｎｇ  Ｇｒｏｕｐ）は、２００６年末ＩＭＴ−Ａｄｖａｎｃｅｄシステムのための規格に既存ＩＥＥＥ８０２．１６ｅの修正（ａｍｅｎｄｍｅｎｔ）規格を作成することを目標にＩＥＥＥ８０２．１６ｍプロジェクトの推進を決定した。前記目標から分かるように、ＩＥＥＥ８０２．１６ｍ規格は、ＩＥＥＥ８０２．１６ｅ規格の修正という過去の連続性と次世代ＩＭＴ−Ａｄｖａｎｃｅｄシステムのための規格という未来の連続性である二つの側面を内包している。従って、ＩＥＥＥ８０２．１６ｍ規格は、ＩＥＥＥ８０２．１６ｅ規格に基づいたＭｏｂｉｌｅ  ＷｉＭＡＸシステムとの互換性（ｃｏｍｐａｔｉｂｉｌｉｔｙ）を維持しながら、ＩＭＴ−Ａｄｖａｎｃｅｄシステムのための進歩した要求事項を全部満たすことを要求している。
【０００３】
最近、中継局（ＲＳ；Ｒｅｌａｙ  Ｓｔａｔｉｏｎ）を含んだ無線通信システムが開発されている。中継局は、セルカバレッジを拡張させて送信性能を向上させる役割をする。基地局が基地局のカバレッジ境界に位置した端末を中継局を介してサービスすることによって、セルカバレッジを拡張させる効果を得ることができる。また、中継局が基地局と端末との間で信号の送信信頼性を向上させることによって送信容量を増加させることができる。端末が基地局のカバレッジ内にあるとしても陰影地域に位置した場合に中継局を用いることもできる。
【０００４】
中継局が導入されたシステムのフレーム構造は、中継局が導入されないフレーム構造と互い異なる。フレームのうち一部は、基地局と端末又は中継局と端末との間の通信のためにのみ使われることができ、フレームのうち他の一部が基地局と中継局との間の通信のために使われることができる。端末が基地局又は中継局とデータを送受信することができる領域の制限があり、これによって、ＨＡＲＱ（Ｈｙｂｒｉｄ  Ａｕｔｏｍａｔｉｃ  Ｒｅｐｅａｔ  ｒｅｑｕｅｓｔ）フィードバック（ｆｅｅｄｂａｃｋ）などにも制限がある。
【０００５】
中継局が導入されたシステムにおいて、ＨＡＲＱフィードバックを効率的に実行するための新たなフレーム構造が考慮される必要がある。
【発明の概要】
【発明が解決しようとする課題】
【０００６】
本発明の技術的課題は、中継局を含む無線通信システムにおけるフレーム構成方法及び装置を提供することである。より詳しく、本発明は、ＦＤＤ（Ｆｒｅｑｕｅｎｃｙ  Ｄｉｖｉｓｉｏｎ  Ｄｕｐｌｅｘ）システムにおけるフレーム内に中継ゾーン（ｒｅｌａｙ  ｚｏｎｅ）とアクセスゾーン（ａｃｃｅｓｓ  ｚｏｎｅ）を構成する方法を提供する。
【課題を解決するための手段】
【０００７】
一態様において、中継局を含む無線通信システムにおけるフレーム（ｆｒａｍｅ）構成方法が提供される。前記フレーム構成方法は、複数のアップリンク（ＵＬ；Ｕｐｌｉｎｋ）サブフレームを含むＵＬリレイゾーン（ｒｅｌａｙ  ｚｏｎｅ）と複数のＵＬサブフレームを含むＵＬアクセスゾーン（ａｃｃｅｓｓ  ｚｏｎｅ）を含むＦＤＤ（Ｆｒｅｑｕｅｎｃｙ  Ｄｉｖｉｓｉｏｎ  Ｄｕｐｌｅｘ）ＵＬフレームを構成することを含み、前記ＵＬリレイゾーンは、中継局が基地局に信号を送信するために使われる領域であり、前記ＵＬアクセスゾーンは、中継局が端末から信号を受信するために使われる領域であり、前記ＦＤＤ  ＵＬフレーム内で前記ＵＬリレイゾーンが前記ＵＬアクセスゾーンの前方に位置する。
【０００８】
前記ＦＤＤ  ＵＬフレームに含まれるサブフレームの個数が８個である場合、前記ＵＬアクセスゾーンに含まれる複数のＵＬサブフレームの個数は、４個である。
【０００９】
前記フレーム構成方法は、複数のダウンリンク（ＤＬ；Ｄｏｗｎｌｉｎｋ）サブフレームを含むＤＬリレイゾーンと複数のＤＬサブフレームを含むＤＬアクセスゾーンを含むＦＤＤ  ＤＬフレームを構成することをさらに含み、前記ＦＤＤ  ＤＬフレーム内で前記ＤＬアクセスゾーンが前記ＤＬリレイゾーンの前方に位置する。
【００１０】
前記ＦＤＤ  ＤＬフレームに含まれるサブフレームの個数が８個である場合、前記ＤＬアクセスゾーンに含まれる複数のＤＬサブフレームの個数は、４個である。
【００１１】
前記ＵＬリレイゾーンに中継局の受信モードから送信モードへの切替ギャップ（ｔｒａｎｓｉｔｉｏｎ  ｇａｐ）であるＲ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入される。
【００１２】
前記Ｒ−ＲＴＩは、前記ＵＬリレイゾーンに含まれる複数のＵＬサブフレームのうち１番目のＵＬサブフレームの１番目のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルの位置に挿入される。
【００１３】
前記ＵＬリレイゾーンに中継局の送信モードから受信モードへの切替ギャップであるＲ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入される。
【００１４】
前記Ｒ−ＴＴＩは、前記ＵＬリレイゾーンに含まれる複数のＵＬサブフレームのうち最後のＵＬサブフレームの最後のＯＦＤＭＡシンボルの位置に挿入される。
【００１５】
他の態様において、中継局を含む無線通信システムにおける端末によるＨＡＲＱ（Ｈｙｂｒｉｄ  Ａｕｔｏｍａｔｉｃ  Ｒｅｐｅａｔ  ｒｅｑｕｅｓｔ）実行方法が提供される。前記ＨＡＲＱ実行方法は、第１のフレーム内のＤＬアクセスゾーンを介してＵＬ割当（ａｓｓｉｇｎｍｅｎｔ）Ａ−ＭＡＰ  ＩＥを中継局から受信し、前記第１のフレーム内のＵＬアクセスゾーンを介して前記ＵＬ割当Ａ−ＭＡＰ  ＩＥによるＵＬデータバースト（ｄａｔａ  ｂｕｒｓｔ）を中継局に送信し、前記第１のフレームと隣接する第２のフレーム内のＤＬアクセスゾーンを介して前記ＵＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を中継局から受信することを含み、前記第１のフレーム及び前記第２のフレームは、周波数領域でＤＬフレームとＵＬフレームに区分されるＦＤＤフレームであり、前記ＵＬフレームは、複数のＵＬサブフレームを含むＵＬリレイゾーンと複数のＵＬサブフレームを含むＵＬアクセスゾーンを含み、前記ＵＬフレーム内で前記ＵＬリレイゾーンが前記ＵＬアクセスゾーンの前方に位置する。
【００１６】
前記ＦＤＤ  ＵＬフレームに含まれるサブフレームの個数が８個である場合、前記ＵＬアクセスゾーンに含まれる複数のＵＬサブフレームの個数は、４個である。
【００１７】
前記ＤＬフレームは、複数のＤＬサブフレームを含むＤＬリレイゾーンと複数のＤＬサブフレームを含むＤＬアクセスゾーンを含み、前記ＤＬフレーム内で前記ＤＬアクセスゾーンが前記ＤＬリレイゾーンの前方に位置する。
【００１８】
前記ＦＤＤ  ＤＬフレームに含まれるサブフレームの個数が８個である場合、前記ＤＬアクセスゾーンに含まれる複数のＤＬサブフレームの個数は、４個である。
【００１９】
前記ＵＬリレイゾーンに中継局の受信モードから送信モードへの切替ギャップであるＲ−ＲＴＩが挿入される。
【００２０】
前記ＵＬリレイゾーンに中継局の送信モードから受信モードへの切替ギャップであるＲ−ＴＴＩが挿入される。
【００２１】
他の態様において、中継局を含む無線通信システムにおける端末が提供される。前記端末は、ＲＦ（Ｒａｄｉｏ  Ｆｒｅｑｕｅｎｃｙ）部、及び前記ＲＦ部と連結されるプロセッサを含み、前記ＲＦ部は、第１のフレーム内のＤＬアクセスゾーンを介してＵＬ割当Ａ−ＭＡＰ  ＩＥを中継局から受信し、前記第１のフレーム内のＵＬアクセスゾーンを介して前記ＵＬ割当Ａ−ＭＡＰ  ＩＥによるＵＬデータバーストを中継局に送信し、前記第１のフレームと隣接する第２のフレーム内のＤＬアクセスゾーンを介して前記ＵＬデータバーストに対するＡＣＫ／ＮＡＣＫ信号を中継局から受信するように構成され、前記第１のフレーム及び前記第２のフレームは、周波数領域でＤＬフレームとＵＬフレームに区分されるＦＤＤフレームであり、前記ＵＬフレームは、複数のＵＬサブフレームを含むＵＬリレイゾーンと複数のＵＬサブフレームを含むＵＬアクセスゾーンを含み、前記ＵＬフレーム内で前記ＵＬリレイゾーンが前記ＵＬアクセスゾーンの前方に位置する。
本明細書は、例えば、以下の項目も提供する。
（項目１）
中継局を含む無線通信システムにおけるフレーム（ｆｒａｍｅ）構成方法において、
複数のアップリンク（ＵＬ；Ｕｐｌｉｎｋ）サブフレームを含むＵＬリレイゾーン（ｒｅｌａｙ  ｚｏｎｅ）と複数のＵＬサブフレームを含むＵＬアクセスゾーン（ａｃｃｅｓｓ  ｚｏｎｅ）を含むＦＤＤ（Ｆｒｅｑｕｅｎｃｙ  Ｄｉｖｉｓｉｏｎ  Ｄｕｐｌｅｘ）ＵＬフレームを構成することを含み、
前記ＵＬリレイゾーンは、中継局が基地局に信号を送信するために使われる領域であり、
前記ＵＬアクセスゾーンは、中継局が端末から信号を受信するために使われる領域であり、
前記ＦＤＤ  ＵＬフレーム内で前記ＵＬリレイゾーンが前記ＵＬアクセスゾーンの前方に位置することを特徴とするフレーム構成方法。
（項目２）
前記ＦＤＤ  ＵＬフレームに含まれるサブフレームの個数が８個である場合、前記ＵＬアクセスゾーンに含まれる複数のＵＬサブフレームの個数は、４個であることを特徴とする項目１に記載のフレーム構成方法。
（項目３）
複数のダウンリンク（ＤＬ；Ｄｏｗｎｌｉｎｋ）サブフレームを含むＤＬリレイゾーンと複数のＤＬサブフレームを含むＤＬアクセスゾーンを含むＦＤＤ  ＤＬフレームを構成することをさらに含み、前記ＦＤＤ  ＤＬフレーム内で前記ＤＬアクセスゾーンが前記ＤＬリレイゾーンの前方に位置することを特徴とする項目１に記載のフレーム構成方法。
（項目４）
前記ＦＤＤ  ＤＬフレームに含まれるサブフレームの個数が８個である場合、前記ＤＬアクセスゾーンに含まれる複数のＤＬサブフレームの個数は、４個であることを特徴とする項目３に記載のフレーム構成方法。
（項目５）
前記ＵＬリレイゾーンに中継局の受信モードから送信モードへの切替ギャップ（ｔｒａｎｓｉｔｉｏｎ  ｇａｐ）であるＲ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入されることを特徴とする項目１に記載のフレーム構成方法。
（項目６）
前記Ｒ−ＲＴＩは、前記ＵＬリレイゾーンに含まれる複数のＵＬサブフレームのうち１番目のＵＬサブフレームの１番目のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルの位置に挿入されることを特徴とする項目５に記載のフレーム構成方法。
（項目７）
前記ＵＬリレイゾーンに中継局の送信モードから受信モードへの切替ギャップであるＲ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入されることを特徴とする項目１に記載のフレーム構成方法。
（項目８）
前記Ｒ−ＴＴＩは、前記ＵＬリレイゾーンに含まれる複数のＵＬサブフレームのうち最後のＵＬサブフレームの最後のＯＦＤＭＡシンボルの位置に挿入されることを特徴とする項目７に記載のフレーム構成方法。
（項目９）
中継局を含む無線通信システムにおける端末によるＨＡＲＱ（Ｈｙｂｒｉｄ  Ａｕｔｏｍａｔｉｃ  Ｒｅｐｅａｔ  ｒｅｑｕｅｓｔ）実行方法において、
第１のフレーム内のダウンリンク（ＤＬ；Ｄｏｗｎｌｉｎｋ）アクセスゾーン（ａｃｃｅｓｓ  ｚｏｎｅ）を介してＵＬ割当（ａｓｓｉｇｎｍｅｎｔ）Ａ−ＭＡＰ  ＩＥを中継局から受信し、
前記第１のフレーム内のアップリンク（ＵＬ；Ｕｐｌｉｎｋ）アクセスゾーンを介して前記ＵＬ割当Ａ−ＭＡＰ  ＩＥによるＵＬデータバースト（ｄａｔａ  ｂｕｒｓｔ）を中継局に送信し、
前記第１のフレームと隣接する第２のフレーム内のＤＬアクセスゾーンを介して前記ＵＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を中継局から受信することを含み、
前記第１のフレーム及び前記第２のフレームは、周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、
前記ＵＬフレームは、複数のＵＬサブフレームを含むＵＬリレイゾーン（ｒｅｌａｙ  ｚｏｎｅ）と複数のＵＬサブフレームを含むＵＬアクセスゾーンを含み、
前記ＵＬフレーム内で前記ＵＬリレイゾーンが前記ＵＬアクセスゾーンの前方に位置することを特徴とするＨＡＲＱ実行方法。
（項目１０）
前記ＦＤＤ  ＵＬフレームに含まれるサブフレームの個数が８個である場合、前記ＵＬアクセスゾーンに含まれる複数のＵＬサブフレームの個数は、４個であることを特徴とする項目９に記載のＨＡＲＱ実行方法。
（項目１１）
前記ＤＬフレームは、複数のＤＬサブフレームを含むＤＬリレイゾーンと複数のＤＬサブフレームを含むＤＬアクセスゾーンを含み、前記ＤＬフレーム内で前記ＤＬアクセスゾーンが前記ＤＬリレイゾーンの前方に位置することを特徴とする項目９に記載のＨＡＲＱ実行方法。
（項目１２）
前記ＦＤＤ  ＤＬフレームに含まれるサブフレームの個数が８個である場合、前記ＤＬアクセスゾーンに含まれる複数のＤＬサブフレームの個数は、４個であることを特徴とする項目１１に記載のＨＡＲＱ実行方法。
（項目１３）
前記ＵＬリレイゾーンに中継局の受信モードから送信モードへの切替ギャップ（ｔｒａｎｓｉｔｉｏｎ  ｇａｐ）であるＲ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入されることを特徴とする項目９に記載のＨＡＲＱ実行方法。
（項目１４）
前記ＵＬリレイゾーンに中継局の送信モードから受信モードへの切替ギャップであるＲ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入されることを特徴とする項目９に記載のＨＡＲＱ実行方法。
（項目１５）
中継局を含む無線通信システムにおける端末において、
ＲＦ（Ｒａｄｉｏ  Ｆｒｅｑｕｅｎｃｙ）部；及び、
前記ＲＦ部と連結されるプロセッサ；を含み、
前記ＲＦ部は、
第１のフレーム内のダウンリンク（ＤＬ；Ｄｏｗｎｌｉｎｋ）アクセスゾーン（ａｃｃｅｓｓ  ｚｏｎｅ）を介してＵＬ割当（ａｓｓｉｇｎｍｅｎｔ）Ａ−ＭＡＰ  ＩＥを中継局から受信し、
前記第１のフレーム内のアップリンク（ＵＬ；Ｕｐｌｉｎｋ）アクセスゾーンを介して前記ＵＬ割当Ａ−ＭＡＰ  ＩＥによるＵＬデータバースト（ｄａｔａ  ｂｕｒｓｔ）を中継局に送信し、
前記第１のフレームと隣接する第２のフレーム内のＤＬアクセスゾーンを介して前記ＵＬデータバーストに対するＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）信号を中継局から受信するように構成され、
前記第１のフレーム及び前記第２のフレームは、周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、
前記ＵＬフレームは、複数のＵＬサブフレームを含むＵＬリレイゾーン（ｒｅｌａｙ  ｚｏｎｅ）と複数のＵＬサブフレームを含むＵＬアクセスゾーンを含み、
前記ＵＬフレーム内で前記ＵＬリレイゾーンが前記ＵＬアクセスゾーンの前方に位置することを特徴とする端末。
【発明の効果】
【００２２】
中継局が導入されたＦＤＤシステムは、既存の中継局が導入されないシステムのＨＡＲＱ（Ｈｙｂｒｉｄ  Ａｕｔｏｍａｔｉｃ  Ｒｅｐｅａｔ  ｒｅｑｕｅｓｔ）タイミングをそのまま適用することができる。
【図面の簡単な説明】
【００２３】
【図１】中継局を含む無線通信システムを示す。
【図２】フレーム構造の一例を示す。
【図３】中継局をサポートするシステムの基本フレーム構造の一例を示す。
【図４】中継局をサポートするシステムのＦＤＤフレーム構造の一例を示す。
【図５】中継局をサポートするシステムのＴＤＤフレーム構造の一例を示す。
【図６】ＦＤＤシステムにおけるＵＬ  ＨＡＲＱ（Ｈｙｂｒｉｄ  Ａｕｔｏｍａｔｉｃ  Ｒｅｐｅａｔ  ｒｅｑｕｅｓｔ）タイミング（ｔｉｍｉｎｇ）の一例を示す。
【図７】中継局が導入されたＦＤＤシステムにおける中継局と端末との間のＵＬ  ＨＡＲＱタイミングの一例を示す。
【図８】提案された発明の一実施例によるＦＤＤフレーム構造の一実施例を示す。
【図９】提案されたフレーム構成方法の一実施例を示す。
【図１０】提案されたフレーム構成による中継局と端末との間のＨＡＲＱ実行方法の一実施例を示す。
【図１１】提案されたフレーム構成による中継局と端末との間のＨＡＲＱ実行方法の一実施例を示す。
【図１２】提案されたフレーム構成による中継局と端末との間のＨＡＲＱタイミングの一例を示す。
【図１３】提案されたフレーム構成による中継局と端末との間のＨＡＲＱタイミングの一例を示す。
【図１４】本発明の実施例が具現される基地局及び端末のブロック図である。
【発明を実施するための形態】
【００２４】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ＥｖｏｌｖｅｄＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づいたシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２５】
説明を明確にするために、ＩＥＥＥ８０２．１６ｍを中心に記述するが、本発明の技術的思想がこれに制限されるものではない。
【００２６】
図１は、中継局を含む無線通信システムを示す。
【００２７】
図１を参照すると、中継局を含む無線通信システム１０は、少なくとも一つの基地局（Ｂａｓｅ  Ｓｔａｔｉｏｎ；ＢＳ）１１を含む。各基地局１１は、一般的にセル（ｃｅｌｌ）と呼ばれる特定の地理的領域１５に対して通信サービスを提供する。また、セルは、複数の領域に分けられ、各々の領域は、セクター（ｓｅｃｔｏｒ）と呼ぶ。一つの基地局には、一つ以上のセルが存在することができる。基地局１１は、一般的に端末１３と通信する固定局（ｆｉｘｅｄ  ｓｔａｔｉｏｎ）を意味し、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＡＮ（Ａｃｃｅｓｓ  Ｎｅｔｗｏｒｋ）、ＡＢＳ（ａｄｖａｎｃｅｄ  ＢＳ）等、他の用語で呼ばれることもある。基地局１１は、中継局１２と端末１４との間の連結性（ｃｏｎｎｅｃｔｉｖｉｔｙ）、管理（ｍａｎａｇｅｍｅｎｔ）、制御、及びリソース割当のような機能を遂行することができる。
【００２８】
中継局（Ｒｅｌａｙ  Ｓｔａｔｉｏｎ；ＲＳ）１２は、基地局１１と端末１４との間で信号を中継する機器を意味し、ＲＮ（Ｒｅｌａｙ  Ｎｏｄｅ）、リピータ（ｒｅｐｅａｔｅｒ）、中継器、ＡＲＳ（ａｄｖａｎｃｅｄ  ＲＳ）など、他の用語で呼ばれることもある。中継局で使用する中継方式に、ＡＦ（Ａｍｐｌｉｆｙ  ａｎｄ  Ｆｏｒｗａｒｄ）及びＤＦ（Ｄｅｃｏｄｅ  ａｎｄ  Ｆｏｒｗａｒｄ）等、いずれの方式を使用してもよく、本発明の技術的思想がこれに制限されるものではない。
【００２９】
端末（Ｍｏｂｉｌｅ  ｓｔａｔｉｏｎ；ＭＳ）１３、１４は、固定になったり移動性を有することができ、ＡＭＳ（ａｄｖａｎｃｅｄ  Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＰＤＡ（Ｐｅｒｓｏｎａｌ  Ｄｉｇｉｔａｌ  Ａｓｓｉｓｔａｎｔ）、無線モデム（Ｗｉｒｅｌｅｓｓ  Ｍｏｄｅｍ）、携帯機器（Ｈａｎｄｈｅｌｄ  Ｄｅｖｉｃｅ）、ＡＴ（Ａｃｃｅｓｓ  Ｔｅｒｍｉｎａｌ）、ＵＥ（ｕｓｅｒ  ｅｑｕｉｐｍｅｎｔ）等、他の用語で呼ばれることもある。以下、マクロ端末は、基地局と直接通信する端末を意味し、中継局端末は、中継局と通信する端末を意味する。基地局１１のセル内にあるマクロ端末１３であるとしても、ダイバーシティ効果による送信速度の向上のために中継局１２を介して基地局１１と通信することができる。
【００３０】
端末は、一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００３１】
この技術は、ダウンリンク（ＤＬ；ｄｏｗｎｌｉｎｋ）又はアップリンク（ＵＬ；ｕｐｌｉｎｋ）に使われることができる。一般的に、基地局と端末との間で、ダウンリンクは基地局からマクロ端末への通信を意味し、アップリンクはマクロ端末から基地局への通信を意味する。基地局と中継局との間で、ダウンリンクは基地局から中継局への通信を意味し、アップリンクは中継局から基地局への通信を意味する。中継局と中継局端末との間で、ダウンリンクは中継局から中継局端末への通信を意味し、アップリンクは中継局端末から中継局への通信を意味する。ダウンリンクで、送信機は基地局又は中継局の一部分であり、受信機は端末又は中継局の一部分である。アップリンクで、送信機は端末又は中継局の一部分であり、受信機は基地局又は中継局の一部分である。
【００３２】
図２は、フレーム構造の一例を示す。
【００３３】
図２を参照すると、スーパーフレーム（ＳＦ；Ｓｕｐｅｒｆｒａｍｅ）は、スーパーフレームヘッダ（ＳＦＨ；Ｓｕｐｅｒｆｒａｍｅ  Ｈｅａｄｅｒ）と４個のフレーム（ｆｒａｍｅ）Ｆ０、Ｆ１、Ｆ２、Ｆ３を含む。スーパーフレーム内の各フレームの長さは全部同じである。各スーパーフレームの大きさは２０ｍｓであり、各フレームの大きさは５ｍｓであると例示しているが、これに限定されるものではない。スーパーフレームの長さ、スーパーフレームに含まれるフレームの数、フレームに含まれるサブフレームの数等は、多様に変更されることができる。フレームに含まれるサブフレームの数は、チャネル帯域幅（ｃｈａｎｎｅｌ  ｂａｎｄｗｉｄｔｈ）、ＣＰ（Ｃｙｃｌｉｃ  Ｐｒｅｆｉｘ）の長さによって多様に変更されることができる。
【００３４】
一つのフレームは、複数のサブフレーム（ｓｕｂｆｒａｍｅ）ＳＦ０、ＳＦ１、ＳＦ２、ＳＦ３、ＳＦ４、ＳＦ５、ＳＦ６、ＳＦ７を含む。各サブフレームは、アップリンク又はダウンリンク送信のために使われることができる。一つのサブフレームは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル又はＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を含み、周波数領域（ｆｒｅｑｕｅｎｃｙ  ｄｏｍａｉｎ）で複数の副搬送波（ｓｕｂｃａｒｒｉｅｒ）を含む。ＯＦＤＭシンボルは、一つのシンボル区間（ｓｙｍｂｏｌ  ｐｅｒｉｏｄ）を表現するためのものであり、多重接続方式によってＯＦＤＭＡシンボル、ＳＣ−ＦＤＭＡシンボルなど、他の名称で呼ばれることもある。サブフレームは、５、６、７又は９個のＯＦＤＭＡシンボルで構成されることができるが、これは例示に過ぎず、サブフレームに含まれるＯＦＤＭＡシンボルの数は制限されない。サブフレームに含まれるＯＦＤＭＡシンボルの数は、チャネル帯域幅、ＣＰの長さによって多様に変更されることができる。サブフレームが含むＯＦＤＭＡシンボルの数によってサブフレームのタイプ（ｔｙｐｅ）が定義されることができる。例えば、タイプ−１サブフレームは６ＯＦＤＭＡシンボル、タイプ−２サブフレームは７ＯＦＤＭＡシンボル、タイプ−３サブフレームは５ＯＦＤＭＡシンボル、タイプ−４サブフレームは９ＯＦＤＭＡシンボルを含むと定義されることができる。一つのフレームは、全部同じタイプのサブフレームを含まってもよく、互いに異なるタイプのサブフレームを含まってもよい。即ち、一つのフレーム内の各サブフレーム毎に含むＯＦＤＭＡシンボルの個数は全部同じ、或いは各々異なる。又は、一つのフレーム内の少なくとも一つのサブフレームのＯＦＤＭＡシンボルの個数は、前記フレーム内の残りのサブフレームのＯＦＤＭＡシンボルの個数と異なる。
【００３５】
フレームには、ＴＤＤ（Ｔｉｍｅ  Ｄｉｖｉｓｉｏｎ  Ｄｕｐｌｅｘ）方式又はＦＤＤ（Ｆｒｅｑｕｅｎｃｙ  Ｄｉｖｉｓｉｏｎ  Ｄｕｐｌｅｘ）方式が適用されることができる。ＴＤＤ方式で、各サブフレームが同じ周波数で互いに異なる時間にアップリンク送信又はダウンリンク送信のために使われる。即ち、ＴＤＤ方式のフレーム内のサブフレームは、時間領域でアップリンクサブフレームとダウンリンクサブフレームに区分される。ＦＤＤ方式で、各サブフレームが同じ時間の互いに異なる周波数でアップリンク送信又はダウンリンク送信のために使われる。即ち、ＦＤＤ方式のフレーム内のサブフレームは、周波数領域でアップリンクサブフレームとダウンリンクサブフレームに区分される。アップリンク送信とダウンリンク送信は、互いに異なる周波数帯域を占め、同時に行われることができる。
【００３６】
ＳＦＨは、必須システムパラメータ（ｅｓｓｅｎｔｉａｌ  ｓｙｓｔｅｍ  ｐａｒａｍｅｔｅｒ）及びシステム設定情報（ｓｙｓｔｅｍ  ｃｏｎｆｉｇｕｒａｔｉｏｎ  ｉｎｆｏｒｍａｔｉｏｎ）を運ぶことができる。ＳＦＨは、スーパーフレーム内の１番目のサブフレーム内に位置することができる。ＳＦＨは、前記１番目のサブフレームの最後の５個のＯＦＤＭＡシンボルを占めることができる。スーパーフレームヘッダは、１次ＳＦＨ（Ｐ−ＳＦＨ；ｐｒｉｍａｒｙ−ＳＦＨ）及び２次ＳＦＨ（Ｓ−ＳＦＨ；ｓｅｃｏｎｄａｒｙ−ＳＦＨ）に分類されることができる。Ｐ−ＳＦＨは、スーパーフレーム毎に送信されることができる。Ｓ−ＳＦＨに送信される情報は、Ｓ−ＳＦＨ  ＳＰ１、Ｓ−ＳＦＨ  ＳＰ２、Ｓ−ＳＦＨ  ＳＰ３の３個のサブパケット（ｓｕｂ−ｐａｃｋｅｔ）に分けることができる。各サブパケットは、互いに異なる周期に周期的に送信されることができる。Ｓ−ＳＦＨ  ＳＰ１、Ｓ−ＳＦＨ  ＳＰ２、及びＳ−ＳＦＨ  ＳＰ３を介して送信される情報の重要度は、互いに異なり、Ｓ−ＳＦＨ  ＳＰ１が最も短い周期に、Ｓ−ＳＦＨ  ＳＰ３が最も長い周期に送信されることができる。Ｓ−ＳＦＨ  ＳＰ１は、ネットワーク再進入（ｎｅｔｗｏｒｋ  ｒｅ−ｅｎｔｒｙ）に関する情報を含み、Ｓ−ＳＦＨ  ＳＰ１の送信周期は４０ｍｓである。Ｓ−ＳＦＨ  ＳＰ２は、初期ネットワーク進入（ｉｎｉｔｉａｌ  ｎｅｔｗｏｒｋ  ｅｎｔｒｙ）及びネットワーク探索（ｎｅｔｗｏｒｋ  ｄｉｓｃｏｖｅｒｙ）に関する情報を含み、Ｓ−ＳＦＨ  ＳＰ２の送信周期は８０ｍｓである。Ｓ−ＳＦＨ  ＳＰ３は、残りの重要なシステム情報を含み、Ｓ−ＳＦＨ  ＳＰ３の送信周期は１６０ｍｓ又は３２０ｍｓのうちいずれか一つである。
【００３７】
一つのＯＦＤＭＡシンボルは、複数の副搬送波を含み、ＦＦＴ大きさによって副搬送波の個数が決定される。多様な類型の副搬送波がある。副搬送波の類型は、データ送信のためのデータ副搬送波、多様な測定（ｅｓｔｉｍａｔｉｏｎ）のためパイロット副搬送波、ガードバンド（ｇｕａｒｄ  ｂａｎｄ）、及びＤＣキャリアのためのナルキャリアに分けられることができる。ＯＦＤＭシンボルを特徴づけるパラメータは、ＢＷ、Ｎｕｓｅｄ、ｎ、Ｇなどである。ＢＷは、名目上のチャネル帯域幅（ｎｏｍｉｎａｌ  ｃｈａｎｎｅｌ  ｂａｎｄｗｉｄｔｈ）である。Ｎｕｓｅｄは、（ＤＣ副搬送波を含む）使われる副搬送波の個数である。ｎは、サンプリング因子である。このパラメータは、ＢＷ及びＮｕｓｅｄと結合して副搬送波スペイシング（ｓｐａｃｉｎｇ）及び有効シンボル時間（ｕｓｅｆｕｌ  ｓｙｍｂｏｌ  ｔｉｍｅ）を決定する。Ｇは、ＣＰ時間と有効時間（ｕｓｅｆｕｌ  ｔｉｍｅ）の比率である。
【００３８】
以下の表１は、ＯＦＤＭＡパラメータを示す。
【００３９】
【表１】
0005465352.tif 000002
【００４０】
表１で、ＮＦＦＴは、Ｎｕｓｅｄより大きい数のうち最も小さい２ｎのうち最も小さいパワー（Ｓｍａｌｌｅｓｔ  ｐｏｗｅｒ  ｏｆ  ｔｗｏ  ｇｒｅａｔｅｒ  ｔｈａｎ  Ｎｕｓｅｄ）であり、サンプリング因子Ｆｓ＝ｆｌｏｏｒ（ｎ?ＢＷ／８０００）×８０００であり、副搬送波スペイシングΔｆ＝Ｆｓ／ＮＦＦＴであり、有効シンボル時間Ｔｂ＝１／Δｆであり、ＣＰ時間Ｔｇ＝Ｇ?Ｔｂであり、ＯＦＤＭＡシンボル時間Ｔｓ＝Ｔｂ＋Ｔｇであり、サンプリング時間はＴｂ／ＮＦＦＴである。
【００４１】
以下、中継局を導入した無線通信システムに対して説明する。ＩＥＥＥ８０２．１６ｍシステムに中継局が導入されることができる。端末は、基地局又は中継局と連結されることができ、連結された基地局又は中継局からサービスを受信することができる。
【００４２】
ＩＥＥＥ８０２．１６ｍシステムにおいて、中継局は、デコーディング／送信（ＤＦ；Ｄｅｃｏｄｅ  ａｎｄ  Ｆｏｒｗａｒｄ）パラダイムにより実行することができる。ダウンリンク及びアップリンクでＦＤＤ及びＴＤＤ方式が全部サポートされることができる。中継局は、ＴＴＲ（Ｔｉｍｅ−ｄｉｖｉｓｉｏｎ−Ｔｒａｎｓｍｉｔ  ａｎｄ  Ｒｅｃｅｉｖｅ）モード又はＳＴＲ（ｓｉｍｕｌｔａｎｅｏｕｓ  Ｔｒａｎｓｍｉｔ  ａｎｄ  Ｒｅｃｅｉｖｅ）モードに動作することができる。ＴＴＲモードでは、一つのＲＦ（Ｒａｄｉｏ  Ｆｒｅｑｕｅｎｃｙ）搬送波内で中継局と端末との間のアクセスリンク通信（ａｃｃｅｓｓ  ｌｉｎｋ  ｃｏｍｍｕｎｉｃａｔｉｏｎ）と基地局と中継局との間のリレイリンク通信（ｒｅｌａｙ  ｌｉｎｋ  ｃｏｍｍｕｎｉｃａｔｉｏｎ）がＴＤＭ（Ｔｉｍｅ  Ｄｉｖｉｓｉｏｎ  Ｍｕｌｔｉｐｌｅｘｉｎｇ）方式に多重化される。ＳＴＲモードでは、アクセスリンクとリレイリンクが十分に独立的な場合、アクセスリンク通信とリレイリンク通信が同時に実行されることができる。
【００４３】
ＩＥＥＥ８０２．１６ｍシステムにおいて、中継局は、不透明（ｎｏｎ−ｔｒａｎｓｐａｒｅｎｔ）モードに動作することができる。不透明モードは、中継局が下位局（ｓｕｂｏｒｄｉｎａｔｅ  ｓｔａｔｉｏｎ）のためのＳＦＨ及びＡ−ＭＡＰを構成し、Ａ−プリアンブル（ｐｒｅａｍｂｌｅ）、ＳＦＨ及びＡ−ＭＡＰを下位局に送信することを意味する。
【００４４】
中継局を導入したＩＥＥＥ８０２．１６ｍシステムにおいて、各基地局又は中継局が無線リソースを下位リンク（ｓｕｂｏｒｄｉｎａｔｅ  ｌｉｎｋ）にスケジューリングする分散されたスケジューリングモデル（ｄｉｓｔｒｉｂｕｔｅｄ  ｓｃｈｅｄｕｌｉｎｇ  ｍｏｄｅｌ）が使われることができる。中継局の場合、リソースのスケジューリングは、基地局から割り当てられたリソース内で実行される。基地局は、中継局及び端末にフレーム構造（ｆｒａｍｅ  ｓｔｒｕｃｔｕｒｅ）の構成を知らせることができる。無線フレームは、アクセスゾーンとリレイゾーンに分けられることができる。
【００４５】
アクセスゾーンで、基地局と中継局は、端末に信号を送信したり、端末から信号を受信する。リレイゾーンで、基地局は、中継局（及び端末）で信号を送信したり、中継局（及び端末）から信号を受信する。基地局と中継局のフレーム構造は、時間的に整列（ａｌｉｇｎｅｄ  ｉｎ  ｔｉｍｅ）されることができる。基地局と中継局は、端末にＡ−プリアンブル、ＳＦＨ及びＡ−ＭＡＰを同時に送信することができる。
【００４６】
図３は、中継局をサポートするシステムの基本フレーム構造の一例を示す。
【００４７】
中継局が導入されたシステムは、基地局と同様に表１のＯＦＤＭＡパラメータをそのまま使用することができる。基地局と端末のスーパーフレームは、時間的に整列され、同じ数のフレームとサブフレームを含むことができる。中継局の各スーパーフレームは、ＳＦＨを含み、中継局が送信するＳＦＨは、基地局が送信するＳＦＨと同じ位置とフォーマット（ｆｏｒｍａｔ）を有する。中継局プリアンブル（ＳＡ−プリアンブル及びＰＡ−プリアンブル）は、上位の（ｓｕｐｅｒｏｒｄｉｎａｔｅ）基地局プリアンブルと同時に（ｓｙｎｃｈｒｏｎｏｕｓｌｙ）送信される。
【００４８】
中継局をサポートするシステムにおいて、基地局フレームは、アクセスゾーンとリレイゾーンに分けられることができる。フレーム内でアクセスゾーンは、リレイゾーンより前方に位置することができる。アクセスゾーン及びリレイゾーンの持続期間（ｄｕｒａｔｉｏｎ）はＤＬとＵＬで異なる。アクセスゾーン及びリレイゾーンの設定は、基地局により送信される中継局設定命令メッセージ（ＡＡＩ−ＡＲＳ＿ｃｏｎｆｉｇ−ＣＭＤ  ｍｅｓｓａｇｅ）を介して行われることができる。
【００４９】
基地局フレームのアクセスゾーンは、ＤＬアクセスゾーンとＵＬアクセスゾーンで構成され、リレイゾーンは、ＤＬリレイゾーンとＵＬリレイゾーンで構成される。基地局フレームのアクセスゾーンは、端末とのみ通信するために使われる。基地局フレームのリレイゾーンは、中継局との通信に使われ、端末との通信に使われることもできる。ＤＬリレイゾーンで基地局は、下位の中継局に信号を送信し、ＵＬリレイゾーンで基地局は、下位の中継局から信号を受信する。
【００５０】
中継局フレームのアクセスゾーンは、ＤＬアクセスゾーンとＵＬアクセスゾーンで構成され、リレイゾーンはＤＬリレイゾーンとＵＬリレイゾーンで構成される。中継局フレームのアクセスゾーンは、端末とのみ通信するために使われる。ＤＬリレイゾーンで中継局は、上位の基地局から信号を受信し、ＵＬリレイゾーンで中継局は、上位の基地局に信号を送信する。
【００５１】
各中継局フレームで、Ｒ−ＴＴＩ（Ｒｅｌａｙ  Ｔｒａｎｓｍｉｔ  ｔｏ  ｒｅｃｅｉｖｅ  Ｔｒａｎｓｉｔｉｏｎ  Ｉｎｔｅｒｖａｌ）が挿入されることができる。Ｒ−ＴＴＩは、中継局と上位局との間のＡＲＳＴＴＧ（ＡＲＳ  Ｔｒａｎｓｍｉｔ／ｒｅｃｅｉｖｅ  Ｔｒａｎｓｉｔｉｏｎ  Ｇａｐ）とＲＴＤ（Ｒｏｕｎｄ−Ｔｒｉｐ  Ｄｅｌａｙ）のために挿入されることができる。また、各中継局フレームで、Ｒ−ＲＴＩ（Ｒｅｌａｙ  Ｒｅｃｅｉｖｅ  ｔｏ  ｔｒａｎｓｍｉｔ  Ｔｒａｎｓｉｔｉｏｎ  Ｉｎｔｅｒｖａｌ）が挿入されることができる。Ｒ−ＲＴＩは、中継局と上位局との間のＡＲＳＲＴＧ（ＡＲＳ  Ｒｅｃｅｉｖｅ／ｔｒａｎｓｍｉｔ  Ｔｒａｎｓｉｔｉｏｎ  Ｇａｐ）とＲＴＤ（Ｒｏｕｎｄ−Ｔｒｉｐ  Ｄｅｌａｙ）のために挿入されることができる。
【００５２】
図４は、中継局をサポートするシステムのＦＤＤフレーム構造の一例を示す。
【００５３】
図４は、名目チャネル帯域幅（ｎｏｍｉｎａｌ  ｃｈａｎｎｅｌ  ｂａｎｄｗｉｄｔｈ）が５ＭＨｚ、１０ＭＨｚ又は２０ＭＨｚのうちいずれか一つであり、Ｇ＝１／８の時、適用されることができるＦＤＤフレーム構造の一例である。ＦＤＤシステムの中継局は、ＤＬリレイゾーンで基地局から信号を受信するためにＤＬ搬送波周波数（ｃａｒｒｉｅｒ  ｆｒｅｑｕｅｎｃｙ）を使用し、ＵＬリレイゾーンから基地局に信号を送信するためにＵＬ搬送波周波数を使用する。
【００５４】
図４を参照すると、中継局無線フレーム間にアイドル状態時間間隔（ｉｄｌｅ  ｓｔａｔｅ  ｔｉｍｅ  ｉｎｔｅｒｖａｌ；Ｒ＿ＩｄｌｅＴｉｍｅ）が挿入されることができる。Ｒ＿ＩｄｌｅＴｉｍｅの長さは、システム設定記述子メッセージ（ＡＡＩ＿Ｓｙｓｔｅｍ  Ｃｏｎｆｉｇｕｒａｔｉｏｎ  Ｄｅｓｃｒｉｐｔｏｒ  ｍｅｓｓａｇｅ）を介して中継局から端末に送信されることができる。中継局ＤＬフレームで、Ｒ＿ＩｄｌｅＴＩｍｅの長さは、基地局のアイドル時間（Ｉｄｌｅ  Ｔｉｍｅ）と同じである。中継局ＵＬフレームで、Ｒ＿ＩｄｌｅＴＩｍｅの長さは、基地局のアイドル時間と同じ、或いは小さい。中継局ＵＬフレームは、基地局ＵＬフレームに対してＴａｄｖほど時間的に先行することができる。Ｔａｄｖ＝ＩｄｌｅＴｉｍｅ−Ｒ＿ＩｄｌｅＴｉｍｅに計算されることができる。
【００５５】
中継局が送受信機の状態を送信から受信へ切り替える時又は受信から送信へ切り替える時、切替ギャップ（ｔｒａｎｓｉｔｉｏｎ  ｇａｐ）が挿入されることができる。図４を参照すると、中継局ＤＬフレームで、アクセスゾーンとリレイゾーンとの間にＲ−ＴＴＩが挿入され、リレイゾーンと次の中継局ＤＬフレームのアクセスゾーンとの間にＲ−ＲＴＩが挿入される。Ｒ−ＴＴＩの位置は、アクセスゾーンの最後のサブフレームの最後のＯＦＤＭＡシンボルであり、Ｒ−ＲＴＩの位置は、リレイゾーンの最後のサブフレームの最後のＯＦＤＭＡシンボルである。Ｒ−ＴＴＩの長さは、ＲＴＤ／２≧ＡＲＳＴＴＧである場合０に決定され、ＲＴＤ／２＜ＡＲＳＴＴＧである場合にはＴｓに決定されることができる。この時、ＲＴＤは、中継局と上位局との間の往復遅延（ｒｏｕｎｄ  ｔｒｉｐ  ｄｅｌａｙ）である。Ｒ−ＲＴＩの長さは、ＩｄｌｅＴｉｍｅ−ＲＴＤ／２≧ＡＲＳＲＴＧである場合０に決定され、ＩｄｌｅＴｉｍｅ−ＲＴＤ／２＜ＡＲＳＲＴＧである場合Ｔｓに決定される。
【００５６】
Ｒ−ＴＴＩが挿入されたＳＦ３は、５個のＯＦＤＭＡシンボルを含む。これによって、端末の動作に影響を及ぼすことができる。Ｒ−ＴＴＩが挿入されない場合、中継局のＤＬアクセスゾーン内のサブフレームは、基地局のＤＬアクセスゾーン内のサブフレームと同じである。
【００５７】
また、中継局ＵＬフレームでアクセスゾーンとリレイゾーンとの間にＲ−ＲＴＩが挿入され、リレイゾーンと次の中継局ＤＬフレームのアクセスゾーンとの間にＲ−ＴＴＩが挿入される。Ｒ−ＲＴＩの位置は、リレイゾーンの１番目のサブフレームの１番目のＯＦＤＭＡシンボルであり、Ｒ−ＲＴＩの位置は、リレイゾーンの最後のサブフレームの最後のＯＦＤＭＡシンボルである。
【００５８】
図５は、中継局をサポートするシステムのＴＤＤフレーム構造の一例を示す。
【００５９】
図５は、名目チャネル帯域幅が５ＭＨｚ、１０ＭＨｚ又は２０ＭＨｚのうちいずれか一つであり、Ｇ＝１／８の時、適用されることができるＦＤＤフレーム構造の一例である。ＤＬフレームとＵＬフレームの比率は５：３である。
【００６０】
図５を参照すると、ＤＬ領域からＵＬ領域に切り替えられるスイッチングポイント（ｓｗｉｔｃｈｉｎｇ  ｐｏｉｎｔ）以前にＲ＿ＩｄｌｅＴｉｍｅが挿入される。Ｒ＿ＩｄｌｅＴｉｍｅの長さは、システム設定記述子メッセージを介して中継局から端末に送信されることができる。中継局ＵＬフレームは、基地局ＵＬフレームに対してＴａｄｖほど時間的に先行することができる。Ｒ＿ＩｄｌｅＴＩｍｅの長さは、ＴＴＧと同じ、或いは小さい。また、各中継局無線フレームでＲＴＧがＵＬ領域からＤＬ領域に切り替えられるスイッチングポイント以前に挿入される。
【００６１】
また、図５を参照すると、ＴＤＤシステムの中継局フレームは、ＤＬ領域でアクセスゾーンとリレイゾーンとの間にＲ−ＴＴＩを有する。Ｒ−ＴＴＩが挿入されたＤＬアクセスゾーンのサブフレームＳＦ２は、５個のＯＦＤＭＡシンボルを含む。これによって、端末の動作に影響を及ぼすことができる。Ｒ−ＴＴＩが挿入されない場合、中継局のＤＬアクセスゾーン内のサブフレームは、基地局のＤＬアクセスゾーン内のサブフレームと同じである。また、ＴＤＤシステムの中継局フレームは、ＵＬ領域でアクセスゾーンとリレイゾーンとの間にＲ−ＲＴＩを有する。
【００６２】
図６は、ＦＤＤシステムにおけるＵＬ  ＨＡＲＱ（Ｈｙｂｒｉｄ  Ａｕｔｏｍａｔｉｃ  Ｒｅｐｅａｔ  ｒｅｑｕｅｓｔ）タイミング（ｔｉｍｉｎｇ）の一例を示す。
【００６３】
図６のＵＬ  ＨＡＲＱタイミングは、チャネル帯域幅が５ＭＨｚ、１０ＭＨｚ、及び２０ＭＨｚのうちいずれか一つである時に適用されることができる。図６を参照すると、ｉ番目のフレームの２番目のサブフレーム（インデックス１）で、ＵＬ基本割当（ｂａｓｉｃ  ａｓｓｉｇｎｍｅｎｔ）Ａ−ＭＡＰ  ＩＥ（Ｉｎｆｏｒｍａｔｉｏｎ  Ｅｌｅｍｅｎｔ）又はＵＬサブバンド割当（ｓｕｂｂａｎｄ  ａｓｓｉｇｎｍｅｎｔ）Ａ−ＭＡＰ  ＩＥが基地局から端末に送信される。ｉ番目のフレームの６番目のサブフレーム（インデックス５）で、前記ＵＬ基本割当Ａ−ＭＡＰ  ＩＥ又はＵＬサブバンド割当Ａ−ＭＡＰ  ＩＥに対応されるＵＬデータバースト（ｄａｔａ  ｂｕｒｓｔ）、即ち、ＵＬ  ＨＡＲＱサブパケットが端末から基地局に送信される。（ｉ＋１）番目のフレームの２番目のサブフレームで、前記ＵＬ  ＨＡＲＱサブパケットのためのＤＬ  ＨＡＲＱフィードバックが基地局から端末に送信される。ＤＬ  ＨＡＲＱフィードバックがＮＡＣＫ（Ｎｏｎ−ａｃｋｎｏｗｌｅｄｇｅｍｅｎｔ）を指示する場合、（ｉ＋１）番目のサブフレームの６番目のサブフレームで、前記ＵＬ  ＨＡＲＱサブパケットの再送信が実行される。図６において、基地局がデータバーストの処理に必要な時間又は端末がデータバーストの処理に必要な時間は、３サブフレームであると仮定するが、これに制限されるものではなく、データバーストの処理に必要な時間は、多様に設定されることができ、基地局と端末によって異なる。
【００６４】
図７は、中継局が導入されたＦＤＤシステムにおける中継局と端末との間のＵＬ  ＨＡＲＱタイミングの一例を示す。
【００６５】
図７のＵＬ  ＨＡＲＱタイミングは、チャネル帯域幅が５ＭＨｚ、１０ＭＨｚ、及び２０ＭＨｚのうちいずれか一つである時に適用されることができる。図７のフレーム構造で、中継局のＤＬフレームは、５個のＤＬサブフレームを含むアクセスゾーンと３個のＤＬサブフレームを含むリレイゾーンで構成される。また、中継局のＵＬフレームは、４個のＵＬサブフレームを含むアクセスゾーンと４個のＵＬサブフレームを含むリレイゾーンで構成される。
【００６６】
図７を参照すると、ｉ番目のフレームの２番目のサブフレーム（インデックス１）で、ＵＬ基本割当Ａ−ＭＡＰ  ＩＥが中継局から端末に送信される。（ｉ＋１）番目のフレームの２番目のサブフレーム（インデックス１）で、前記ＵＬ基本割当Ａ−ＭＡＰ  ＩＥに対応されるＵＬデータバースト、即ち、ＵＬ  ＨＡＲＱサブパケットが端末から中継局に送信される。図６と違って、ｉ番目のサブフレームの５番目乃至８番目のＵＬサブフレームがリレイゾーンに割り当てられ、端末からＵＬデータバーストを受信することができない。従って、（ｉ＋１）番目のサブフレームのアクセスゾーンで、ＵＬデータバーストを受信する。（ｉ＋２）番目のフレームの２番目のサブフレームで、前記ＵＬ  ＨＡＲＱサブパケットのためのＤＬ  ＨＡＲＱフィードバックが中継局から端末に送信される。ＤＬ  ＨＡＲＱフィードバックがＮＡＣＫを指示する場合、（ｉ＋３）番目のサブフレームの２番目のサブフレームで、前記ＵＬ  ＨＡＲＱサブパケットの再送信が実行される。図６において、基地局がデータバーストの処理に必要な時間又は端末がデータバーストの処理に必要な時間は、３サブフレームであると仮定するが、これに制限されるものではなく、データバーストの処理に必要な時間は、多様に設定されることができ、基地局と端末によって異なる。
【００６７】
図６及び図７に示すように、中継局が導入されないＦＤＤシステムと中継局が導入されたＦＤＤシステムにおけるＵＬ  ＨＡＲＱタイミングが互いに異なる。特に、中継局が導入されたＦＤＤシステムでは、アクセスゾーンとリレイゾーンの割当によって中継局と端末がデータを送受信することができるサブフレームの制限がある。中継局が導入されないＦＤＤシステムと中継局が導入されたＦＤＤシステムにおけるＵＬ  ＨＡＲＱタイミングが異なるため、端末のＨＡＲＱ動作もシステムによって異なる必要がある。即ち、セル種類がマクロセル（ｍａｃｒｏ  ｃｅｌｌ）か、或いはリレイセル（ｒｅｌａｙ  ｃｅｌｌ）かによって端末のＨＡＲＱ動作が変わる。然しながら、端末は、ハンドオーバ（ｈａｎｄｏｖｅｒ）時に隣接広告メッセージ（ｎｅｉｇｈｂｏｒ  ａｄｖｅｒｔｉｓｅｍｅｎｔ  ｍｅｓｓａｇｅ；ＡＡＩ＿ＮＢＲ＿ＡＤＶ）によってのみセルの種類を知ることができ、ネットワーク進入（ｎｅｔｗｏｒｋ  ｅｎｔｒｙ）時にはセルの種類を知ることができない。従って、端末は、セル種類がマクロセルか、或いはリレイセルかに対する情報なしにＨＡＲＱを実行することができない。
【００６８】
一方、端末がネットワーク進入時にセルの種類を知らない場合、ＨＡＲＱ実行以外にも多様な問題点が発生する。
【００６９】
１）長いＴＴＩ（ｌｏｎｇ  ＴＴＩ）：マクロセルとリレイセルで長いＴＴＩ（ｌｏｎｇ  ＴＴＩ）の長さは、互いに異なる。マクロセルでの長いＴＴＩの長さは、ＦＤＤシステムでは４で、ＴＤＤシステムでは全体ＤＬ／ＵＬサブフレームの個数と同じである。リレイセルでの長いＴＴＩの長さは、アクセスゾーン及びリレイゾーンのＤＬ／ＵＬサブフレームの個数と同じである。これによって、端末は、セルの種類に対する情報なしに長いＴＴＩにＤＬデータバーストを受信したり、ＵＬデータバーストを送信することができない。
【００７０】
２）リレイミッドアンブル（ｒｅｌａｙ  ｍｉｄａｍｂｌｅ；Ｒ−ａｍｂｌｅ）：中継フレームは、リレイゾーンでＲ−ａｍｂｌｅを送信することができる。この時、サブフレームの種類が変わることができる。Ｒ−ａｍｂｌｅが位置する基地局及び中継局フレームのＤＬリレイゾーン内のサブフレームは、ＯＦＤＭＡシンボルの個数が１個減る。これによって、６個のＯＦＤＭＡシンボルを含むタイプ−１サブフレームは、５個のＯＦＤＭＡシンボルを含むタイプ−２サブフレームに変更され、７個のＯＦＤＭＡシンボルを含むタイプ−３サブフレームは、６個のＯＦＤＭＡシンボルを含むタイプ−１サブフレームに変更される。従って、端末は、セルの種類に対する情報なしにサブフレームを受信することができない。
【００７１】
３）切替ギャップ：前述したように、アクセスゾーンとリレイゾーンとの間に切替ギャップが挿入されることができる。切替ギャップがアクセスゾーンに挿入される場合、２）と同様に、サブフレームの種類が変わることができる。従って、端末は、セルの種類に対する情報なしにサブフレームを送信又は受信することができない。
【００７２】
このように、端末がネットワーク進入時にセルの種類を知らない場合、多様な問題点が発生する。端末がネットワーク進入を試みる時、セルの種類を知らない場合、中継局は、透明に（ｔｒａｎｓｐａｒｅｎｔｌｙ）動作する必要がある。従って、これを解決するための多様な方法が要求される。
【００７３】
まず、中継局が導入されたＦＤＤシステムにおいて、ＵＬ  ＨＡＲＱタイミング問題を解決するための方法を説明する。以下、端末に及ぼす影響とシグナリングオーバーヘッドを最小化しながら、端末がセルの種類を知らないネットワーク進入時にも端末のＨＡＲＱ動作を保障するＦＤＤフレーム構造を説明する。
【００７４】
図８は、提案された発明の一実施例によるＦＤＤフレーム構造の一実施例を示す。
【００７５】
図８のＦＤＤフレーム構造は、図４で説明されたＦＤＤフレーム構造と類似するが、ＵＬフレームでリレイゾーンの位置がアクセスゾーンの位置より前方にある。ＤＬフレームでアクセスゾーンとリレイゾーンの位置は同じである。また、ＤＬフレームのアクセスゾーンに含まれるＤＬサブフレームの個数とＵＬフレームのアクセスゾーンに含まれるＵＬサブフレームの個数は同じ個数に固定されることができる。例えば、ＦＤＤフレームが偶数個のサブフレームを含む場合、ＤＬフレームのアクセスゾーンに含まれるＤＬサブフレームの個数とＵＬフレームのアクセスゾーンに含まれるＵＬサブフレームの個数はＦＤＤフレームを構成するサブフレームの個数の半分である。即ち、ＦＤＤフレームが８個のサブフレームを含む場合、ＤＬフレームのアクセスゾーンに含まれるＤＬサブフレームの個数とＵＬフレームのアクセスゾーンに含まれるＵＬサブフレームの個数は各々４個である。ＵＬフレームでリレイゾーンとアクセスゾーンの位置を交換することによって、図７で説明されたように、リレイゾーンの割当によりＵＬデータバーストを送信することができない場合が発生せず、図６の中継局が導入されないＦＤＤシステムにおけるＵＬ  ＨＡＲＱタイミングをそのまま適用することができる。
【００７６】
提案されたＦＤＤフレーム構造にＲ−ＲＴＩ又はＲ−ＴＴＩが挿入されることができる。Ｒ−ＲＴＩは、リレイゾーンと以前ＵＬフレームのアクセスゾーンとの間に挿入されることができ、Ｒ−ＴＴＩは、リレイゾーンとアクセスゾーンとの間に挿入されることができる。Ｒ−ＲＴＩの位置は、リレイゾーンの１番目のサブフレームの１番目のＯＦＤＭＡシンボルであり、Ｒ−ＴＴＩの位置は、リレイゾーンの最後のサブフレームの最後のＯＦＤＭＡシンボルである。Ｒ−ＲＴＩ及びＲ−ＴＴＩの長さは、図４のＦＤＤフレーム構造と同様に決定されることができる。即ち、ＩｄｌｅＴｉｍｅ−ＲＴＤ／２＞ＡＲＳＲＴＧである場合、Ｒ−ＲＴＩは０であり、そうでない場合にはＴｓに決定され、ＲＴＤ／２＞ＡＲＳＴＴＧである場合、Ｒ−ＴＴＩは０であり、そうでない場合にはＴｓに決定されることができる。
【００７７】
図９は、提案されたフレーム構成方法の一実施例を示す。
【００７８】
ステップＳ１００で、基地局は、リレイゾーンとアクセスゾーンを含むＦＤＤ  ＵＬフレームを構成する。この時、前記ＦＤＤフレーム内でリレイゾーンの位置は、アクセスゾーンの位置より前方にある。ステップＳ１１０で、基地局は、前記ＦＤＤフレームを介して中継局又は端末と通信する。
【００７９】
図１０及び図１１は、提案されたフレーム構成による中継局と端末との間のＨＡＲＱ実行方法の一実施例を示す。
【００８０】
図１０を参照すると、ステップＳ２００で、中継局は、ＤＬ割当Ａ−ＭＡＰ  ＩＥ及びＤＬデータバーストを端末に送信する。ステップＳ２１０で、端末は、前記ＤＬデータバーストに対するＨＡＲＱフィードバック、即ち、ＡＣＫ／ＮＡＣＫ信号を中継局に送信する。ステップＳ２２０で、中継局は、前記ＨＡＲＱフィードバックがＮＡＣＫを指示する時、前記ＤＬデータバーストの再送信を実行する。図１１を参照すると、ステップＳ３００で、中継局は、ＵＬ割当Ａ−ＭＡＰ  ＩＥを端末に送信する。ステップＳ３１０で、端末は、前記ＵＬ割当Ａ−ＭＡＰ  ＩＥによるＵＬデータバーストを中継局に送信する。ステップＳ３２０で、中継局は、前記ＵＬデータバーストに対するＨＡＲＱフィードバック、即ち、ＡＣＫ／ＮＡＣＫ信号を端末に送信する。ステップＳ３３０で、端末は、前記ＨＡＲＱフィードバックがＮＡＣＫを指示する時、前記ＵＬデータバーストの再送信を実行する。
【００８１】
図１２及び図１３は、提案されたフレーム構成による中継局と端末との間のＨＡＲＱタイミングの一例を示す。
【００８２】
図１２のＤＬ  ＨＡＲＱタイミングは、図１０のＨＡＲＱ実行方法、図１３のＵＬ  ＨＡＲＱタイミングは、図１１のＨＡＲＱ実行方法に各々対応される。図１２を参照すると、ｉ番目のフレームの２番目のサブフレーム（インデックス１）で、ＤＬ基本割当Ａ−ＭＡＰ  ＩＥ及びＤＬデータバーストが中継局から端末に送信される。ｉ番目のフレームの６番目のサブフレーム（インデックス５）で、前記ＤＬデータバーストに対応されるＵＬ  ＨＡＲＱフィードバックが端末から中継局に送信される。ＵＬ  ＨＡＲＱフィードバックがＮＡＣＫを指示する場合、（ｉ＋１）番目のサブフレームの２番目のサブフレームで、前記ＤＬデータバーストの再送信が実行される。また、図１３を参照すると、ｉ番目のフレームの２番目のサブフレーム（インデックス１）で、ＵＬ基本割当Ａ−ＭＡＰ  ＩＥが中継局から端末に送信される。ｉ番目のフレームの６番目のサブフレーム（インデックス５）で、前記ＵＬ基本割当Ａ−ＭＡＰ  ＩＥに対応されるＵＬデータバーストが端末から中継局に送信される。（ｉ＋１）番目のフレームの２番目のサブフレームで、前記ＵＬデータバーストのためのＤＬ  ＨＡＲＱフィードバックが中継局から端末に送信される。ＤＬ  ＨＡＲＱフィードバックがＮＡＣＫを指示する場合、（ｉ＋１）番目のサブフレームの６番目のサブフレームで、前記ＵＬデータバーストの再送信が実行される。このように、中継局のＵＬフレームで、リレイゾーンがアクセスゾーンより前方に位置することによって端末のＨＡＲＱ実行が中継局が導入されないシステムと同様に実行することができる。
【００８３】
一方、端末がネットワーク進入時、セルの種類を知らなくて発生する問題点は、下記のような方法により解決されることができる。
【００８４】
１）長いＴＴＩ：端末が中継局の存在をＡＡＩ−ＳＣＤメッセージなどを介して知る以前に長いＴＴＩの割当を許容しない。ＡＡＩ−ＳＣＤメッセージは、アクセスゾーン又はリレイゾーンのサブフレームの個数、Ｒ−ａｍｂｌｅの送信可否、及び周期などのリレイ構成を指示することができる。
【００８５】
２）Ｒ−ａｍｂｌｅ：ＡＡＩ−ＳＣＤメッセージ内のリレイゾーン端末割当インジケータ（ＡＡＩ＿Ｒｅｌａｙ＿ｚｏｎｅ＿ＡＭＳ＿ａｌｌｏｃａｔｉｏｎ＿ｉｎｄｉｃａｔｏｒ）の値が０の場合、端末が中継局の存在を知る以前には長いＴＴＩを割り当てらずにＲ−ａｍｂｌｅのみを送信し、リレイゾーン端末割当インジケータの値が１の場合、Ｒ−ａｍｂｌｅを送信しない。
【００８６】
３）切替ギャップ：端末に影響がないように全ての切替ギャップをリレイゾーンに割り当てることができる。
【００８７】
図１４は、本発明の実施例が具現される基地局及び端末のブロック図である。
【００８８】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。プロセッサ８１０は、複数のＵＬサブフレームを含むＵＬリレイゾーンと複数のＵＬサブフレームを含むＵＬアクセスゾーンを含むＦＤＤ  ＵＬフレームを構成する。前記ＦＤＤ  ＵＬフレーム内で前記ＵＬリレイゾーンが前記ＵＬアクセスゾーンの前方に位置する。メモリ８２０は、プロセッサ８１０と連結され、プロセッサ８１０を駆動するための多様な情報を格納する。ＲＦ部８３０は、プロセッサ８１０と連結され、中継局又は端末と通信する。
【００８９】
端末９００は、プロセッサ９１０、メモリ９２０、及びＲＦ部９３０を含む。ＲＦ部９３０は、プロセッサ９１０と連結され、第１のフレーム内のＤＬアクセスゾーンを介してＵＬ割当Ａ−ＭＡＰ  ＩＥを中継局から受信し、前記第１のフレーム内のＵＬアクセスゾーンを介して前記ＵＬ割当Ａ−ＭＡＰ  ＩＥによるＵＬデータバーストを中継局に送信し、前記第１のフレームと隣接する第２のフレーム内のＤＬアクセスゾーンを介して前記ＵＬデータバーストに対するＡＣＫ／ＮＡＣＫ信号を中継局から受信する。前記第１のフレーム及び前記第２のフレームは。周波数領域でＤＬフレームとＵＬフレームに区分されるＦＤＤ（Ｆｒｅｑｕｅｎｃｙ  Ｄｉｖｉｓｉｏｎ  Ｄｕｐｌｅｘ）フレームであり、前記ＵＬフレームは。複数のＵＬサブフレームを含むＵＬリレイゾーン（ｒｅｌａｙ  ｚｏｎｅ）と複数のＵＬサブフレームを含むＵＬアクセスゾーンを含み、前記ＵＬフレーム内で前記ＵＬリレイゾーンが前記ＵＬアクセスゾーンの前方に位置する。プロセッサ９１０は、提案された機能、過程及び／又は方法を具現する。無線インターフェースプロトコルの階層は、プロセッサ９１０により具現されることができる。メモリ９２０は、プロセッサ９１０と連結され、プロセッサ９１０を駆動するための多様な情報を格納する。
【００９０】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段でプロセッサ８１０、９１０と連結されることができる。
【００９１】
前述した例示的なシステムにおいて、方法は一連のステップ又はブロックで順序図に基づいて説明されているが、本発明は、ステップの順序に限定されるものではなく、あるステップは前述と異なるステップと異なる順序に又は同時に発生することができる。また、当業者であれば、順序図に示すステップが排他的でなく、他のステップが含まれたり順序図の一つ又はその以上のステップが本発明の範囲に影響を及ぼさずに削除可能であることを理解することができる。
【００９２】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
0005465352.tif 000003
【図２】
0005465352.tif 000004
【図３】
0005465352.tif 000005
【図４】
0005465352.tif 000006
【図５】
0005465352.tif 000007
【図６】
0005465352.tif 000008
【図７】
0005465352.tif 000009
【図８】
0005465352.tif 000010
【図９】
0005465352.tif 000011
【図１０】
0005465352.tif 000012
【図１１】
0005465352.tif 000013
【図１２】
0005465352.tif 000014
【図１３】
0005465352.tif 000015
【図１４】
0005465352.tif 000016